(57)【要約】【課題】複数の画像を並行して確認しながら明るさを調整できるようにする。【解決手段】表示装置１５０は、メインメニュー画面５０１が表示されている状態でスイッチ１５８、１５９による明るさ変更の操作がされると、操作に応じた調整情報（光量設定値）を送信し、情報処理装置１００は調整情報を取得する。すると情報処理装置１００は、縮小画面５０２、５０４、５０６の表示用データを生成する。そして、情報処理装置１００は、これらをインジケータ画面４０１と共に合成することで、合成画面（レイアウト画像６０１）を表示するための表示用データ（表示用合成画像）を生成し、それを表示装置１５０へ転送する。表示装置１５０では、輝度が変更された状態で合成画面が表示される。【選択図】図３
2019191314.tif 000002
【特許請求の範囲】
【請求項１】
表示装置の表示の明るさを調整するための調整情報を取得する取得手段と、
前記表示装置に１つの第１の画像が表示されている状態で前記取得手段により前記調整情報が取得された場合、前記第１の画像及び選択されている少なくとも１つの第２の画像の各々を縮小表示するための複数の縮小データを生成する生成手段と、
前記生成手段により生成された前記複数の縮小データを合成することで、１つの合成画像を生成する合成手段と、
前記合成手段により生成された合成画像を、前記表示装置に表示させるための表示用データとして前記表示装置へ転送する転送手段と、を有することを特徴とする情報処理装置。
【請求項２】
前記生成手段は、前記取得された調整情報に応じた明るさを報知する調整情報画像を表示するためのデータを生成し、
前記合成手段は、前記調整情報画像を表示するためのデータを前記複数の縮小データと併せて合成することで、前記合成画像を生成することを特徴とする請求項１に記載の情報処理装置。
【請求項３】
前記転送手段は、前記合成画像を前記表示装置へ転送した後、所定時間が経過しても新たな調整情報を前記取得手段が取得しなかった場合は、前記第１の画像を表示するためのデータを前記表示用データとして前記表示装置へ転送することを特徴とする請求項１または２に記載の情報処理装置。
【請求項４】
前記転送手段が前記合成画像を前記表示装置へ転送した後、所定時間が経過する前に新たな調整情報を前記取得手段が取得した場合は、前記生成手段は、新たに取得された調整情報に応じた明るさを報知する前記調整情報画像を表示するためのデータを新たに生成し、前記合成手段は、前記新たに生成されたデータを前記複数の縮小データと併せて合成することで、前記合成画像を再生成することを特徴とする請求項２に記載の情報処理装置。
【請求項５】
前記第２の画像は前記表示装置で選択され、
前記取得手段は、選択された前記第２の画像を示す情報を前記表示装置から取得することを特徴とする請求項１〜４のいずれか１項に記載の情報処理装置。
【請求項６】
前記第１の画像は、前記第２の画像の各々に対応する複数のアイコンを含み、前記複数のアイコンのうちユーザによって指定されたアイコンに対応する画像が、前記第２の画像として選択されることを特徴とする請求項５に記載の情報処理装置。
【請求項７】
前記第２の画像が１つも選択されていない場合は、前記生成手段は、前記第１の画像を縮小表示するための縮小データを生成し、前記合成手段は、前記生成手段により生成された前記縮小データを複数、合成することで、前記１つの合成画像を生成することを特徴とする請求項１〜６のいずれか１項に記載の情報処理装置。
【請求項８】
表示部と、
前記表示部の表示の明るさを調整するための調整情報を取得する取得手段と、
前記表示部に１つの第１の画像が表示されている状態で前記取得手段により前記調整情報が取得された場合、前記第１の画像及び選択されている少なくとも１つの第２の画像の各々を縮小表示するための複数の縮小データを生成する生成手段と、
前記生成手段により生成された前記複数の縮小データを合成することで、１つの合成画像を生成する合成手段と、
前記合成手段により生成された合成画像を前記表示部に表示させる制御手段と、を有することを特徴とする情報処理装置。
【請求項９】
情報処理装置の制御方法であって、
表示装置の表示の明るさを調整するための調整情報を取得し、
前記表示装置に１つの第１の画像が表示されている状態で前記調整情報が取得された場合、前記第１の画像及び選択されている少なくとも１つの第２の画像の各々を縮小表示するための複数の縮小データを生成し、
前記複数の縮小データを合成することで、１つの合成画像を生成し、
前記合成画像を、前記表示装置に表示させるための表示用データとして前記表示装置へ転送することを特徴とする情報処理装置の制御方法。
【請求項１０】
表示部の表示の明るさを調整するための調整情報を取得し、
前記表示部に１つの第１の画像が表示されている状態で前記調整情報が取得された場合、前記第１の画像及び選択されている少なくとも１つの第２の画像の各々を縮小表示するための複数の縮小データを生成し、
生成された前記複数の縮小データを合成することで、１つの合成画像を生成し、
生成された前記合成画像を前記表示部に表示させることを特徴とする情報処理装置の制御方法。
【請求項１１】
請求項９または１０に記載の情報処理装置の制御方法をコンピュータに実行させることを特徴とするプログラム。
【請求項１２】
表示部を有し、情報処理装置と接続される表示装置であって、
前記表示部の表示の明るさを調整するための調整情報をユーザから受け付け、受け付けた調整情報を前記情報処理装置に送信し、
前記調整情報を送信したことに応じて前記情報処理装置から転送されてきた表示用データを、前記調整情報に応じた明るさで前記表示部に表示することを特徴とする表示装置。
【発明の詳細な説明】
【技術分野】
【０００１】
本発明は、画面表示の明るさを調整する際の表示制御の技術に関する。
【背景技術】
【０００２】
従来、情報処理装置が、液晶モジュールなどの表示装置に画像を表示させる情報処理システムが知られている。このシステムには、ユーザの操作によって上記表示装置の表示の明るさを任意に変更できるものがある。例えば、表示装置または情報処理装置に付随するハードキーを用いて、ユーザが明るさを調整する。特許文献１の情報処理装置は、明るさを指定する調整情報に従って、表示装置のバックライト機能に対して、ＰＷＭ信号または供給電流を変更することで、表示装置の明るさをユーザの所望する明るさに変更する。
【０００３】
ところで、表示装置には、複数種類の画面のうち１つを、状況やモードに応じて選択的に表示できるものがある。ユーザは、表示装置に現在表示されている画面を見ながら好みの明るさに調整するのが通常である。
【先行技術文献】
【特許文献】
【０００４】
【特許文献１】特開２００８−３１００４５号公報
【発明の概要】
【発明が解決しようとする課題】
【０００５】
しかしながら、設定されたバックライトの明るさは、表示装置に表示される画像にかかわらず一定である。すなわち、ユーザが一旦、設定したバックライトの明るさは、表示され得るすべての画面に対して適用される。そのため、例えばユーザが、現在表示されている画像を見ながら好みの明るさに設定したが、その後、画面表示が他の画像に遷移したとき、明るすぎたり暗すぎたりし、好まない明るさと感じる場合が生じ得る。
【０００６】
本発明は、複数の画像を並行して確認しながら明るさを調整することを目的とする。
【課題を解決するための手段】
【０００７】
上記目的を達成するために本発明は、表示装置の表示の明るさを調整するための調整情報を取得する取得手段と、前記表示装置に１つの第１の画像が表示されている状態で前記取得手段により前記調整情報が取得された場合、前記第１の画像及び選択されている少なくとも１つの第２の画像の各々を縮小表示するための複数の縮小データを生成する生成手段と、前記生成手段により生成された前記複数の縮小データを合成することで、１つの合成画像を生成する合成手段と、前記合成手段により生成された合成画像を、前記表示装置に表示させるための表示用データとして前記表示装置へ転送する転送手段と、を有することを特徴とする。
【発明の効果】
【０００８】
本発明によれば、複数の画像を並行して確認しながら明るさを調整することができる。
【図面の簡単な説明】
【０００９】
【図１】情報処理システムの全体構成を示すブロック図である。
【図２】表示装置の画面表示例を示す図である。
【図３】輝度調整処理のフローチャートである。
【図４】インジケータ画面の表示用データの例を示す図である。
【図５】メインメニュー画面、コピー画面、スキャン画面、及びこれらの縮小画面を例示する図である。
【図６】合成画面（レイアウト画像）の表示用データを例示する図である。
【図７】合成画面を例示する図である。
【図８】インジケータ画面の表示用データを例示する図である。
【図９】合成画面（レイアウト画像）の表示用データを例示する図である。
【図１０】合成画面を例示する図である。
【図１１】メインメニュー画面の表示例を示す図である。
【図１２】合成画面（レイアウト画像）の表示用データを例示する図である。
【図１３】合成画面を例示する図である。
【図１４】合成画面（レイアウト画像）の表示用データを例示する図である。
【図１５】合成画面を例示する図である。
【図１６】輝度調整処理のフローチャートである。
【発明を実施するための形態】
【００１０】
以下、図面を参照して本発明の実施の形態を説明する。
【００１１】
（第１の実施の形態）
図１は、本発明の第１の実施の形態に係る情報処理装置を含む情報処理システムの全体構成を示すブロック図である。この情報処理システムは、情報処理装置１００と表示装置１５０とが通信可能に接続されて構成される。一例として、情報処理装置１００はＭＦＰ（Multifunction Peripheral）等の画像形成装置あるいは印刷制御装置であり、表示装置１５０は、各種情報を表示したり各種操作を受け付けたりする機能を有するデバイスである。しかし、情報処理装置１００、表示装置１５０の構成はこれらの例示に限定されない。
【００１２】
まず、情報処理装置１００の各ソフトウェアを制御するハードウェア構成の一例について説明する。情報処理装置１００は、画像を読み取るスキャナ１０８、画像を印刷するプリンタ１０７を接続可能である。情報処理装置１００は、ネットワーク１４０や公衆回線１４１と接続することで、画像情報やデバイス情報の入出力を行う。ＣＰＵ１０１は、情報処理装置１００の全体を統括的に制御するプロセッサである。ＣＰＵ１０１は、印刷される画像データの画像処理や、ネットワーク制御を行うほか、プリンタ１０７に印刷の指示を出すことによって印刷処理も制御する。
【００１３】
情報処理装置１００は、ＣＰＵ１０１の指示のもと、ネットワークインタフェース（Ｎｅｔｗｏｒｋ  Ｉ／Ｆ）１０６を介して、ネットワーク１４０に接続されたクライアントＰＣ（パーソナルコンピュータ）やサーバと通信可能である。例えば情報処理装置１００は、クライアントＰＣから印刷データを受信する。ＲＡＭ１０２は、ＣＰＵ１０１が動作するためのシステムワークメモリであり、画像データを一時記憶するための画像メモリでもある。ＲＡＭ１０２は、ＣＰＵ１０１の主メモリや、ワークエリア等として機能する。ＲＡＭ１０２には、情報処理装置１００内の設定情報や各処理を行った時のジョブログや操作ログなどが格納される。ＲＯＭ１０３は、ブートＲＯＭであり、システムのブートプログラムを格納している。ＨＤＤ１０５は、ハードディスクドライブであり、システムソフトウェア、アプリケーション、画像データを格納する。
【００１４】
操作部Ｉ／Ｆ（インタフェース）１０４は、表示装置１５０への画像データの送信のほか、表示装置１５０との各種通信を行う。操作部Ｉ／Ｆ１０４はまた、表示装置１５０においてユーザにより入力された情報をＣＰＵ１０１に伝える役割も果たす。ネットワークインタフェース１０６は、ネットワーク１４０に接続し、情報の入出力を行う。ＭＯＤＥＭ（モデム）１０９は公衆回線に接続し、情報の入出力を行う。ＳＲＡＭ１１３は、高速動作可能な不揮発性の記憶媒体である。ＲＴＣ１１４は、リアルタイムクロックであり、情報処理装置１００に電源が入っていない状態でも現在の時刻をカウントし続ける処理を行う。Ｉｍａｇｅ  Ｂｕｓ  Ｉ／Ｆ１１６は、画像バス１１７を接続し、データ構造を変換するバスブリッジである。以上のデバイスがシステムバス１１５上に配置される。
【００１５】
画像バス１１７は、ＰＣＩバスまたはＩＥＥＥ１３９４で構成される。画像バス１１７は、システムバス１１５との間で画像データを高速で転送する。画像バス１１７上には以下のデバイスが配置される。まず、ＲＩＰ部１１８は、ラスタイメージプロセッサであり、ＰＤＬデータをビットマップイメージに展開する。デバイスＩ／Ｆ１１９は、スキャナ１０８やプリンタ１０７を情報処理装置１００と接続し、画像データの同期系／非同期系の変換を行う。スキャナ画像処理部１２０は、入力画像データに対して補正、加工、編集を行う。プリンタ画像処理部１２１は、プリント出力する画像データに対して、補正、解像度変換等を行う。暗号処理部１２２は画像データを含む入力データの暗号化処理を行う。復号処理部１２３は暗号化データの複合化処理を行う。
【００１６】
次に、表示装置１５０の各ソフトウェアを制御するハードウェア構成の一例について説明する。表示装置１５０は、情報処理装置１００に対して、バス１６１とシリアルバス１６０とにより接続されている。表示装置１５０は、マイコン１５１、タッチパネルモジュール１５２、液晶データコンバータ（ＤａｔａＣｏｎｖ）１５３、液晶モジュール１５４のほか、物理的な入力操作子としてスイッチ１５８、１５９を有する。
【００１７】
情報処理装置１００は、液晶モジュール１５４に表示するための表示用データをバス１６１を通じて転送する。表示装置１５０のマイコン１５１と情報処理装置１００のＣＰＵ１０１とは、シリアルバス１６０を通じて通信する。マイコン１５１は、表示装置１５０の全体を統括的に制御するマイクロコンピュータである。マイコン１５１内のＲＯＭには、マイコン１５１が動作するためのプログラムが格納されている。
【００１８】
タッチパネルモジュール１５２は、液晶モジュール１５４の表面に配置され、タッチパネルデバイスとタッチパネルデバイスコントローラとで構成されている。タッチパネルデバイスは、抵抗膜式、静電容量方式、赤外線等の光学式のいずれでもよい。タッチパネルモジュール１５２は、ユーザが触れた箇所の位置情報（座標）を、タッチパネル通信バス１５６を介してマイコン１５１に通知する。
【００１９】
液晶データコンバータ１５３は、情報処理装置１００の操作部Ｉ／Ｆ１０４からバス１６１を介して画像データを受け取り、それを液晶モジュール１５４が受け取ることのできるデータフォーマットに変換するモジュールである。例えば、液晶データコンバータ１５３は、情報処理装置１００から、ディスプレイポート（ＤｉｓｐｌａｙＰｏｒｔ）やＨＤＭＩ(登録商標）などの規格のデータを受け取る。そして液晶データコンバータ１５３は、受け取ったデータを、液晶モジュール１５４が受け取ることのできるＬＶＤＳ（Low Voltage Differential Signaling）やＣＭＯＳレベルの信号フォーマットに変換する。また、液晶データコンバータ１５３はバス１５５でマイコン１５１と接続されており、情報処理装置１００から送られてきた画像データに対して、マイコン１５１で生成された画像データを所定の位置に上書きする機能も有する。
【００２０】
液晶モジュール１５４は、ＬＣＤ及びバックライトモジュールを有するモジュールである。液晶モジュール１５４は、液晶データコンバータ１５３から画像データをバス１５７を介して受け取り、予め決められたタイミングで画像データをＬＣＤに転送する。その際、バックライトモジュールが発光することで、ＬＣＤに転送された画像データが可視画像として表示される。
【００２１】
バックライトの明るさの調整は、表示装置１５０に付随する明るさ変更用のスイッチ１５８及びスイッチ１５９のユーザ操作によって行われる。スイッチ１５８、スイッチ１５９の押下に応じて、マイコン１５１は、液晶モジュール１５４内のバックライトモジュールの輝度を段階的に増減するためのコマンド（後述する光量設定値）を、シリアルバス１６０を介して情報処理装置１００へ送信する。このコマンドは、表示装置１５０の表示の明るさを調整するための調整情報である。情報処理装置１００において、取得手段としての操作部Ｉ／Ｆ１０４が、表示装置１５０から調整情報を取得する。また、マイコン１５１は、上記コマンドを液晶モジュール１５４内のバックライトモジュールに対して送信する。
【００２２】
例えば、スイッチ１５８が１回押下されると、マイコン１５１は、バックライトモジュールの明るさ（輝度）を現在値より１段階高くするためのコマンドを送信する。１段階明るくするコマンドを受け取ったバックライトモジュールは、バックライト内のＬＥＤデバイスに対して、１段階に応じた予め決められた分だけ増加させた電流値を供給する。また、スイッチ１５９が１回押下されると、マイコン１５１は、バックライトモジュールの明るさを現在値より１段階高くするためのコマンドを送信する。１段階暗くするコマンドを受け取ったバックライトモジュールは、バックライト内のＬＥＤデバイスに対して、１段階に応じた予め決められた分だけ減少させた電流値を供給する。
【００２３】
図２は、表示装置１５０の画面表示例を示す図である。図２では、表示装置１５０の液晶モジュール１５４に、メインメニュー画面５０１（第１の画像）が表示されている。このメインメニュー画面５０１には、複数（例えば８個）のアイコン１１が表示されている。各アイコン１１は、現在表示されているメインメニュー画面５０１から他の画面へと、画面表示を遷移させる機能を有するソフトボタンである。例えば、アイコン１１−１はコピー機能、アイコン１１−２はスキャン機能、アイコン１１−３はＦＡＸ機能の画面へ遷移させるためのボタンである。なお、各アイコン１１と、それに対応する機能用の画像とは、ＩＤ（識別情報）によって対応付けられている。各アイコン１１の位置に対応する座標データにＩＤが対応付けられている。アイコン１１が押下されると、押下された位置の座標データに対応するＩＤが情報処理装置１００に送信される。
【００２４】
ところで、電源が投入されたときに最初に表示装置１５０に表示される画面は１つであり、メインメニュー画面５０１と定められている。また、後述する合成画面（図７で後述）において、メインメニュー画面５０１と一緒に表示対象とされる他の画面（第２の画像）は、メインメニュー画面５０１から遷移し得る画面でもあり、ユーザによる選択によって決められる。なお、当該他の画面は予め定められていてもよい。本実施の形態では、当該他の画面は、アイコン１１の数の範囲で２個まで選択できるとするが、選択数はこれに限定されない。また、アイコン１１の数も８個に限定されない。合成画面には、調整情報に応じた明るさを目盛りにより報知するためのインジケータ画面４０１（調整情報画像）が含まれる（図７）。
【００２５】
次に、表示装置１５０のバックライトの明るさ調整をユーザ操作に基づき行う動作を、図３〜図１１を用いて説明する。図３は、輝度調整処理のフローチャートである。この処理は、情報処理装置１００及び表示装置１５０の協働により実行される。この処理は、メインメニュー画面５０１が表示されると開始される。この輝度調整処理のうち情報処理装置１００における処理は、ＲＯＭ１０３に格納されたプログラムをＣＰＵ１０１がＲＡＭ１０２に読み出して実行することにより実現される。この輝度調整処理のうち表示装置１５０における処理は、マイコン１５１が、マイコン１５１が備えるＲＯＭに格納されたプログラムをマイコン１５１が備えるＲＡＭに読み出して実行することにより実現される。この処理において、ＣＰＵ１０１は、本発明における生成手段、合成手段、転送手段、制御手段としての役割を果たす。
【００２６】
なお、この処理の開始時点において、合成画面に含まれる「他の画面（第２の画像）」は選択済みであるとし、当該他の画面は、コピー画面５０３及びスキャン画面５０５の２つとする。また、この処理の開始時点において、表示装置１５０には、メインメニュー画面５０１が表示されているとする。また、情報処理装置１００は、表示装置１５０にどの画面が表示されているかを、最後に表示装置１５０へ転送した表示用データから認識できる。
【００２７】
まず、ステップＳ３０１において、表示装置１５０のマイコン１５１は、液晶モジュール１５４のバックライトの明るさ調整ＳＷであるスイッチ１５８、１５９のいずれかが押下されるまで待つ。そして、スイッチ１５８、１５９のいずれかが押下されると、マイコン１５１は、ステップＳ３０２で、押下されたスイッチに応じて液晶モジュール１５４のバックライトの明るさを規定する光量設定値を算出する。それと共に、マイコン１５１は、算出した光量設定値を、調整情報としてシリアルバス１６０を介して情報処理装置１００のＣＰＵ１０１に送信する。
【００２８】
例えば、スイッチ１５８が押下された場合、マイコン１５１は、現在よりも１段階明るくするような光量設定値を算出する。なお、スイッチ１５８が押下される前のバックライトの明るさが一番明るい状態であった場合には、算出される光量設定値は現在値と同じとされる。また、スイッチ１５９が押下された場合、マイコン１５１は、現在よりも１段階暗くするような光量設定値を算出する。なお、スイッチ１５９が押下される前のバックライトの明るさが一番暗い状態であった場合には、算出される光量設定値は現在値と同じとされる。
【００２９】
情報処理装置１００において、操作部Ｉ／Ｆ１０４は、表示装置１５０から送信されてきた光量設定値（調整情報）を受信することで取得する。ステップＳ３０３では、ＣＰＵ１０１は、取得された光量設定値に基づいてバックライトの明るさを示すインジケータ画面４０１の表示用データをＲＡＭ１０２上に生成する。図４に、インジケータ画面４０１の表示用データの例を示す。この例では、４段階の明るさのうち一番明るい段階の状態で、輝度を下げるためのスイッチ１５９が押下された場合を考える。従って、図４では、目盛り表示が、一番明るい段階より１段階低いことを示す表示となっている。
【００３０】
ステップＳ３０４〜Ｓ３０６では、ＣＰＵ１０１は、縮小画面の表示用データ（縮小データ）を生成する。図５（ａ）は、メインメニュー画面５０１及びその縮小画面５０２を例示する図である。図５（ｂ）は、コピー画面５０３及びその縮小画面５０４を例示する図である。図５（ｃ）は、スキャン画面５０５及びその縮小画面５０６を例示する図である。ステップＳ３０４では、ＣＰＵ１０１は、現在表示されているメインメニュー画面５０１（第１画面）を縮小表示するための縮小画面５０２の表示用データをＲＡＭ１０２上に生成する（図５（ａ））。ステップＳ３０５では、ＣＰＵ１０１は、コピー画面５０３（第２画面）を縮小表示するための縮小画面５０４の表示用データをＲＡＭ１０２上に生成する（図５（ｂ））。ステップＳ３０６では、ＣＰＵ１０１は、スキャン画面５０５（第３画面）を縮小表示するための縮小画面５０６の表示用データをＲＡＭ１０２上に生成する（図５（ｃ））。
【００３１】
次に、ステップＳ３０７において、ＣＰＵ１０１は、ステップＳ３０３〜Ｓ３０６で生成された表示用データを表示装置１５０に一緒に表示させるための合成画面の表示用データ（表示用合成画像）を生成する。図６は、この合成画面（レイアウト画像６０１）を表示するための表示用データを例示する図である。ＣＰＵ１０１は、図６に示すように、１つの表示用合成画像として、レイアウト画像６０１の表示用データをＲＡＭ１０２上に生成する。レイアウト画像６０１には、縮小画面５０２、５０４、５０６、インジケータ画面４０１の４つが含まれる。
【００３２】
ステップＳ３０８では、ＣＰＵ１０１は、ステップＳ３０７で生成されたレイアウト画像６０１の表示用データを、操作部Ｉ／Ｆ１０４を介して表示装置１５０へ転送する。ステップＳ３０８ではさらに、表示装置１５０において、マイコン１５１は、転送されてきたレイアウト画像６０１の表示用データに基づき合成画面を表示する。それと共に、ステップＳ３０９で、マイコン１５１は、ステップＳ３０２で算出した光量設定値を液晶モジュール１５４のバックライトモジュールに転送することで、バックライトの明るさを変更する。ステップＳ３０８、Ｓ３０９の処理により、図７に示すように、表示装置１５０の液晶モジュール１５４には、それまで表示されていたメインメニュー画面５０１（図２）よりも１段階暗い輝度で合成画面が表示される。この合成画面には縮小画面５０２、５０４、５０６及びインジケータ画面４０１が併せて表示される。
【００３３】
ユーザは、この合成画面を見て、変更後の輝度が適切かどうかを判断できる。その際、ユーザは、メインメニュー画面５０１の縮小画面５０２だけでなく、遷移する可能性のあるコピー画面５０３の縮小画面５０４及びスキャン画面５０５の縮小画面５０６でも明るさを確認できる。ユーザは、変更後の明るさが気に入らない場合は、ステップＳ３１１で後述するように、再度、スイッチ１５８またはスイッチ１５９を押下することができる。従って、ユーザは、縮小画面５０２、５０４、５０６を並行して確認しながら明るさを調整することができる。
【００３４】
情報処理装置１００においては、レイアウト画像６０１の表示用データを転送した（Ｓ３０８）後、ステップＳ３１０において、ＣＰＵ１０１は、カウンタ値Ｔを初期化する。カウンタ値Ｔは、スイッチ１５８またはスイッチ１５９が押下されていない時間をカウントするタイマ値である。
【００３５】
ステップＳ３１１では、表示装置１５０のマイコン１５１及び情報処理装置１００のＣＰＵ１０１は、スイッチ１５８、１５９のいずれかが押下されたか否かを判別する。ここで、ＣＰＵ１０１は、調整情報が受信されたか否かによって、スイッチ１５８、１５９のいずれかが押下されたか否かを判別できる。まず、マイコン１５１は、スイッチ１５８、１５９のいずれかが押下されると、ステップＳ３１５、Ｓ３１６で、ステップＳ３０２、Ｓ３０３と同様の処理を実行する。従って、スイッチ１５８、１５９の再度の押下により、それに応じたインジケータ画面４０１の表示用データが生成される。一例として、バックライトの明るさが一番明るい段階より１段階低い状態で且つ合成画面が表示されている状態（図７）で、輝度を下げるためのスイッチ１５９が押下された場合を考える。すると、ステップＳ３１６では、図８に示すように、一番明るい段階より２段階低いことを示すインジケータ画面４０１の表示用データが生成される。
【００３６】
ステップＳ３１７では、ＣＰＵ１０１は、ステップＳ３１６で新たに生成されたインジケータ画面４０１とステップＳ３０４〜Ｓ３０６で生成された表示用データとを表示装置１５０に一緒に表示させるための表示用データ（表示用合成画像）を生成する。図９は、この表示用データを例示する図である。すなわち、ＣＰＵ１０１は、図９に示すように、合成画面（レイアウト画像９０１）を表示するための表示用データをＲＡＭ１０２上に生成する。レイアウト画像９０１には、縮小画面５０２、５０４、５０６のほか、新たに生成されたインジケータ画面４０１の４つが含まれる。
【００３７】
ステップＳ３１８では、ＣＰＵ１０１は、ステップＳ３１７で生成されたレイアウト画像９０１の表示用データを、操作部Ｉ／Ｆ１０４を介して表示装置１５０へ転送する。ステップＳ３１８ではさらに、表示装置１５０において、マイコン１５１は、転送されてきたレイアウト画像９０１の表示用データに基づき合成画面を表示する。それと共に、ステップＳ３１９で、マイコン１５１は、ステップＳ３１５で算出した光量設定値を液晶モジュール１５４のバックライトモジュールに転送することで、バックライトの明るさを変更する。ステップＳ３１８、Ｓ３１９の処理により、図１０に示すように、表示装置１５０の液晶モジュール１５４には、それまで表示されていた合成画面（図７）よりも１段階暗い輝度（この例では一番明るい段階より２段階低い輝度）で合成画面が表示される。この合成画面には縮小画面５０２、５０４、５０６及びインジケータ画面４０１が併せて表示される。ユーザは、合成画面を見て、変更後の輝度が適切かどうかを判断できる。ユーザは、変更後の明るさが気に入らない場合は、再度、スイッチ１５８またはスイッチ１５９を押下することができる。
【００３８】
情報処理装置１００においては、レイアウト画像９０１の表示用データを転送した（Ｓ３１８）後、ステップＳ３２０において、ＣＰＵ１０１は、カウンタ値Ｔを初期化する。その後、ＣＰＵ１０１は、処理をステップＳ３１１に戻す。情報処理装置１００において、ＣＰＵ１０１は、ステップＳ３１１でスイッチ１５８、１５９のいずれも押下されていないと判別した場合は、ステップＳ３１２でカウンタ値Ｔを“１”だけインクリメントする。次に、ステップＳ３１３では、ＣＰＵ１０１は、カウンタ値Ｔが所定時間Ｔｉｍｅｏｕｔを超えた（Ｔ＞Ｔｉｍｅｏｕｔ）か否かを判別する。そして、カウンタ値Ｔが所定時間Ｔｉｍｅｏｕｔを超えていない場合は、ＣＰＵ１０１は、処理をステップＳ３１１に戻す。
【００３９】
一方、カウンタ値Ｔが所定時間Ｔｉｍｅｏｕｔを超えた場合は、ステップＳ３１４で、ＣＰＵ１０１は、ステップＳ３０１の処理時に表示装置１５０に表示されていた画面、すなわちメインメニュー画面５０１の表示用データを表示装置１５０へ転送する。ステップＳ３１４ではまた、表示装置１５０において、マイコン１５１は、転送されてきたメインメニュー画面５０１の表示用データに基づきメインメニュー画面５０１を表示する。その際の光量設定値は現状のまま（ステップＳ３０９またはステップＳ３１９のうち直前に実行されたステップで設定されたもの）となる。この例では、直前にステップＳ３１９を実行したので、図１１に示すように、一番明るい段階より２段階低い輝度で、メインメニュー画面５０１が表示される。
【００４０】
ところで、メインメニュー画面５０１が表示された状態で、ユーザは、アイコン１１−１の押下によりコピー画面５０３へ遷移させ、アイコン１１−２の押下によりスキャン画面５０５へ遷移させることができる。画面遷移の際、バックライトの明るさは変化しない。しかし、ユーザは、直前に縮小画面５０２、５０４、５０６を同時に見ながら明るさの設定を行っているので、どの画面に遷移させても明るさを所望の範囲に収めることができる。
【００４１】
本実施の形態によれば、表示装置１５０は、メインメニュー画面５０１が表示されている状態で明るさ変更の操作がされると、操作に応じた調整情報（光量設定値）を送信し、情報処理装置１００は調整情報を取得する。すると情報処理装置１００は、縮小画面５０２、５０４、５０６の表示用データを生成する。そして、情報処理装置１００は、これらをインジケータ画面４０１と共に合成することで、レイアウト画像６０１の表示用データを生成し、それを表示装置１５０へ転送する。表示装置１５０では、輝度が変更された状態で合成画面が表示される。この合成画面が表示された状態で、ユーザは明るさの確認ができると共に、さらに明るさ変更の操作ができる。よって、複数の画像を並行して確認しながら明るさを調整することができる。
【００４２】
また、合成画面では、調整情報に応じた明るさを報知するインジケータ画面４０１が併せて合成されて表示されるので、ユーザは、明るさ調整の際にインジケータ画面４０１によって明るさの段階を認識しやすい。また、情報処理装置１００は、レイアウト画像６０１の表示用データを転送した後、所定時間が経過しても新たな調整情報を取得しなかった場合は、メインメニュー画面５０１の表示用データを転送する（Ｓ３１４）。従って、煩雑な操作をしなくても、元々表示されていた画面に表示が戻る。また、情報処理装置１００は、レイアウト画像６０１の表示用データを転送した後、所定時間が経過する前に新たな調整情報を取得した場合は、新たに取得された調整情報に応じて、合成画面に含めるインジケータ画面４０１を更新する（Ｓ３１７）。つまり、表示用合成画像が再生成される。これにより、ユーザは、新たな明るさ変更操作後の画面を見て、明るさの確認とさらなる変更操作の判断をしやすい。
【００４３】
なお、合成画面にインジケータ画面４０１を含めることは必須でない。なお、合成画面において、縮小画面の数は４つに限定されず、また、上記他の画面（第２の画像）やインジケータ画面４０１以外の画面が含まれてもよい。
【００４４】
（第２の実施の形態）
第１の実施の形態では、上記他の画面（第２の画像）として、コピー画面５０３及びスキャン画面５０５の２つが選択済みである場合を説明した。これに対し本発明の第２の実施の形態では、第２の画像が１つも選択されていない状態から新たに選択される場合を考える。
【００４５】
図１２、図１４は、合成画面を表示するための表示用データを例示する図である。図１３（ａ）、（ｂ）、図１５は、合成画面の表示例を示す図である。表示制御の一例の概略を説明する。
【００４６】
まず、表示装置１５０において、上記他の画面（第２の画像）が選択されておらず、メインメニュー画面５０１が表示されている状態で、スイッチ１５８、１５９による明るさ変更操作があったとする。この場合、情報処理装置１００は、図１２に示す合成画面の表示用データを生成し、この表示用データを表示装置１５０へ転送する。すると表示装置１５０では、図１３（ａ）に示す合成画面が表示される。この合成画面では、メインメニュー画面５０１の縮小画面５０２が３つとインジケータ画面４０１とが併せて表示される。つまり、上記他の画面が表示される予定の領域にも縮小画面５０２が表示される。図１３（ａ）の例では、それまで表示されていたメインメニュー画面５０１（図２）よりも１段階暗い輝度で合成画面が表示される。
【００４７】
ここで、各縮小画面５０２内の各アイコン１１の位置に対応する座標データにＩＤが対応付けられている。アイコン１１が押下されると、押下された位置の座標データに対応するＩＤが、表示装置１５０からシリアルバス１６０を介して情報処理装置１００に転送される。転送されてきたＩＤから、情報処理装置１００は、表示させるべき画像と、合成画面における表示位置（左上、左下、右上のいずれであるか）を認識する。なお、情報処理装置１００が、座標データと、画像及び表示位置との対応関係を規定するテーブル等の情報を保持し、表示装置１５０がＩＤでなく座標データを転送し、情報処理装置１００が、座標データから画像及び表示位置を特定してもよい。
【００４８】
表示装置１５０において、合成画面のいずれかの縮小画面５０２内のアイコン１１が押下されると（図１３（ｂ））、それに対応するＩＤが情報処理装置１００に転送される。情報処理装置１００は、押下されたアイコン１１に対応する縮小画面を生成すると共に、図１２に示す合成画面に対して、押下されたアイコン１１が含まれる表示位置に表示される縮小画面を入れ替えた合成画面の表示用データを生成する（図１４）。そして情報処理装置１００は、その表示用データを表示装置１５０へ転送すると、表示装置１５０では、新たな合成画面が表示される（図１５）。
【００４９】
例えば、図１３（ｂ）に示すように、右上の縮小画面５０２内のアイコン１１−１がカーソル１２により押下されたとする。アイコン１１−１はコピー機能を示すので、コピー画面５０３の縮小画面５０４が生成される。そして、図１４に示すように、右上の縮小画面５０２を縮小画面５０４に入れ替えた合成画面（レイアウト画像１４０１）の表示用データが生成され、その合成画面が表示される（図１５）。なお、図１２または図１４に示す合成画面が表示された状態で、アイコン１１の選択または明るさ変更操作が所定時間無かった場合は、表示装置１５０の表示はメインメニュー画面５０１に戻る。以上の流れをフローチャートで説明する。
【００５０】
図１６は、輝度調整処理のフローチャートである。この処理は、情報処理装置１００及び表示装置１５０の協働により実行される。この処理は、メインメニュー画面５０１が表示されると開始される。この輝度調整処理のうち情報処理装置１００における処理は、ＲＯＭ１０３に格納されたプログラムをＣＰＵ１０１がＲＡＭ１０２に読み出して実行することにより実現される。この輝度調整処理のうち表示装置１５０における処理は、マイコン１５１が、マイコン１５１が備えるＲＯＭに格納されたプログラムをマイコン１５１が備えるＲＡＭに読み出して実行することにより実現される。
【００５１】
なお、この処理の開始時点において、合成画面に含まれる「他の画面（第２の画像）」は未選択であるとする。また、この処理の開始時点において、表示装置１５０には、メインメニュー画面５０１が表示されているとする。また、情報処理装置１００は、表示装置１５０にどの画面が表示されているかを、最後に表示装置１５０へ転送した表示用データから認識できる。
【００５２】
ステップＳ３０１〜Ｓ３０４の処理は図３で説明したのと同じである。なお、説明用の例示として、ステップＳ３０１では、明るさが一番明るい段階の状態で、輝度を下げるためのスイッチ１５９が押下されたとする。ステップＳ３０４の後、ステップＳ３０７で、ＣＰＵ１０１は、ステップＳ３０３、Ｓ３０４で生成された表示用データを表示装置１５０に一緒に表示させるための合成画面（レイアウト画像１２０１）の表示用データをＲＡＭ１０２上に生成する（図１２）。レイアウト画像１２０１には、３つの縮小画面５０２及びインジケータ画面４０１が含まれる。
【００５３】
ステップＳ３０８では、ＣＰＵ１０１は、ステップＳ３０７で生成されたレイアウト画像１２０１の表示用データを、操作部Ｉ／Ｆ１０４を介して表示装置１５０へ転送する。ステップＳ３０８ではさらに、表示装置１５０において、マイコン１５１は、レイアウト画像１２０１の表示用データに基づき合成画面を表示する。それと共に、ステップＳ３０９で、マイコン１５１は、ステップＳ３０２で算出した光量設定値を液晶モジュール１５４のバックライトモジュールに転送することで、バックライトの明るさを変更する。ステップＳ３０８、Ｓ３０９の処理により、図１３（ａ）に示すように、表示装置１５０の液晶モジュール１５４には、それまでよりも１段階暗い輝度で合成画面が表示される。
【００５４】
ステップＳ３１０の処理は図３で説明したのと同じである。ステップＳ３１０の後、ステップＳ１６０１で、表示装置１５０のマイコン１５１は、表示中のいずれかの縮小画面５０２内のいずれかのアイコン１１が押下（指定）されたか否かを判別する。そして、いずれのアイコン１１も押下されない場合は、マイコン１５１は、処理をステップＳ３１１に進める。この場合のステップＳ３１１〜Ｓ３２０の処理は図３で説明したのと同じである。一方、いずれかのアイコン１１が押下された場合は、マイコン１５１は、押下された位置の座標データに対応するＩＤを、シリアルバス１６０を介して情報処理装置１００に転送する。
【００５５】
ステップＳ１６０２で、情報処理装置１００のＣＰＵ１０１は、転送されてきたＩＤに基づいて、表示させるべき画像（選択画像）と合成画面における表示位置とを認識し、選択画像の縮小画面の表示用データを生成する。例えば、図１３（ｂ）に示すように、右上の縮小画面５０２内のアイコン１１−１がカーソル１２によって押下された場合、縮小画面５０４の表示用データが生成される。そして、ステップＳ１６０２の後のステップＳ３１７では、ＣＰＵ１０１は、ステップＳ１６０２で新たに生成された縮小画面と、押下されなかった縮小画面と、インジケータ画面４０１の、各表示用データを一緒に表示させるための表示用合成画像を生成する。例えば、図１４に示すように、左上と左下に縮小画面５０２が配置され、右上に縮小画面５０４が配置された合成画面（レイアウト画像１４０１）の表示用データが生成される。そして、ステップＳ３１８では、ＣＰＵ１０１は、上記表示用データを表示装置１５０へ転送する。
【００５６】
ステップＳ１６０２を経由した場合のステップＳ３１８では、ＣＰＵ１０１は、ステップＳ３１７で生成されたレイアウト画像１４０１の表示用データを、操作部Ｉ／Ｆ１０４を介して表示装置１５０へ転送する。ステップＳ３１８ではさらに、表示装置１５０において、マイコン１５１は、レイアウト画像１４０１の表示用データに基づき合成画面を表示する。例えば、図１５に示すように、２つの縮小画面５０２と、１つの縮小画面５０４と、インジケータ画面４０１とが併せて表示される。
【００５７】
なお、図１５の表示状態で、所定時間Ｔｉｍｅｏｕｔが経過する前に、左上の縮小画面５０２におけるアイコン１１−２が押下された場合、左上の縮小画面５０２に代えて、スキャン画面５０５の縮小画面５０６が配置された合成画面が表示される。
【００５８】
本実施の形態によれば、他の画面（第２の画像）が１つも選択されていない場合は、縮小画面５０２を所定の複数（３つ）合成することで、レイアウト画像１２０１の表示用データが生成され、表示用データに基づく合成画面が表示される。よって、明るさを調整する際に、合成画面で縮小表示する所望の画像を選択できる。また、選択された画像が元の縮小画像に代わって表示されるので、複数の画像を並行して確認しながら明るさを調整することに関し、第１の実施の形態と同様の効果を奏することができる。
【００５９】
なお、本実施の形態において、他の画面（第２の画像）が１つまたは２つ選択された状態で図１６の処理が終了した後、再び図１６の処理が開始された場合、ステップＳ３０４で、選択されている第２の画像用の縮小画面を生成してもよい。その場合、生成した第２の画像用の縮小画面を含めて、ステップＳ３０７で合成画面を生成してもよい。従って、第２の画像が２つ選択された後に図１６の処理が開始された場合であって、ステップＳ１６０１でアイコン１１の選択がされない場合は、表示制御の内容は第１の実施の形態と同様となる。
【００６０】
なお、インジケータ画面４０１以外で一緒に縮小表示される画面数は３に限らない。また、メインメニュー画面５０１と一緒に表示対象とされる他の画面（第２の画像）を選択する操作は、アイコン１１の押下に限定されず、表示装置１５０に設けられた操作子のユーザ操作によってもよい。
【００６１】
なお、上記各実施の形態において、ユーザは、上記他の画面（第２の画像）を一旦選択した後であっても、表示装置１５０に設けられた操作子の操作により変更またはキャンセルが可能である。
【００６２】
なお、上記各実施の形態において、情報処理装置１００は調整情報（光量設定値）を表示装置１５０から受信することで取得するとしたが、これに限らない。例えば、情報処理装置１００に操作子を設け、この操作子に対するユーザからの入力操作に基づき調整情報を取得してもよい。
【００６３】
なお、情報処理装置１００は、スキャナ１０８及びプリンタ１０７のいずれかまたは双方が一体に組み込まれた装置であってもよい。なお、情報処理装置１００と表示装置１５０との接続は無線通信によるものであてもよい。なお、表示部としての表示装置１５０と情報処理装置１００に相当する装置とが物理的に一体となった情報処理装置においても、本発明を適用可能である。
【００６４】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【００６５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６６】
１００  情報処理装置
１０１  ＣＰＵ
１０４  操作部Ｉ／Ｆ
１５０  表示装置
５０１  メインメニュー画面
５０２、５０４、５０６  縮小画面
【図１】
2019191314.tif 000003
【図２】
2019191314.tif 000004
【図３】
2019191314.tif 000005
【図４】
2019191314.tif 000006
【図５】
2019191314.tif 000007
【図６】
2019191314.tif 000008
【図７】
2019191314.tif 000009
【図８】
2019191314.tif 000010
【図９】
2019191314.tif 000011
【図１０】
2019191314.tif 000012
【図１１】
2019191314.tif 000013
【図１２】
2019191314.tif 000014
【図１３】
2019191314.tif 000015
【図１４】
2019191314.tif 000016
【図１５】
2019191314.tif 000017
【図１６】
2019191314.tif 000018